(57)【要約】【課題】使用済み光ディスクを簡易にして確実に再生不能化させてデータ漏洩を防止できると共に、省スペース化して保管し得る光ディスク用再生不能化装置を提供すること。【解決手段】ここでは、使用済み光ディスク１０の少なくとも管理領域Ｅを含む円形の所定領域Ｅ１を光ディスク用再生不能化装置に備えられる穴開け加工手段としての押し抜き式パンチで穴開け加工し、領域Ｅ１をくり抜いて円形の破片を得るようにして円形の孔を形成している。得られた破片を光ディスク１０本体とは別に取り扱って保管（光ディスク１０の種別に応じて保管）することで一層安全性を高められる。再生不能化を施した使用済み光ディスク１０は、再生機で再生しようとしても、ディスクの種類や再生しようとするディスクの各種情報を確認できず、確実にデータ漏洩を防止できる。【選択図】　　　図１
2004022015.tif 000002
【特許請求の範囲】
【請求項１】
再生可能なデータを記録したデータ領域及び該データ領域の管理を担う管理領域を有する光ディスクの使用済みのものを再生不能化する光ディスク用再生不能化方法において、前記光ディスクの少なくとも前記管理領域を含む所定領域を穴開け加工する穴開け加工段階を有することを特徴とする光ディスク用再生不能化方法。
【請求項２】
請求項１記載の光ディスク用再生不能化方法において、前記穴開け加工段階では、前記光ディスクにおける前記所定領域をくり抜いて破片を得るものであり、更に、前記破片を前記光ディスクの種別に応じて保管する保管段階を有することを特徴とする光ディスク用再生不能化方法。
【請求項３】
再生可能なデータを記録したデータ領域及び該データ領域の管理を担う管理領域を有する光ディスクの使用済みのものを再生不能化する光ディスク用再生不能化方法において、前記光ディスクの少なくとも前記管理領域を含む所定領域を変形加工する変形加工段階を有することを特徴とする光ディスク用再生不能化方法。
【請求項４】
再生可能なデータを記録したデータ領域及び該データ領域の管理を担う管理領域を有する光ディスクの使用済みのものを再生不能化可能な光ディスク用再生不能化装置において、前記光ディスクの少なくとも前記管理領域を含む所定領域を穴開け加工する穴開け加工手段を備えたことを特徴とする光ディスク用再生不能化装置。
【請求項５】
請求項４記載の光ディスク用再生不能化装置において、前記穴開け加工手段は、前記所定領域をくり抜いて前記光ディスクの種別に応じた保管用に供される破片を取得可能であることを特徴とする光ディスク用再生不能化装置。
【請求項６】
再生可能なデータを記録したデータ領域及び該データ領域の管理を担う管理領域を有する光ディスクの使用済みのものを再生不能化可能な光ディスク用再生不能化装置において、前記光ディスクの少なくとも前記管理領域を含む所定領域を変形加工する変形加工手段を備えたことを特徴とする光ディスク用再生不能化装置。
【発明の詳細な説明】
【０００１】
【発明の属する技術分野】
本発明は、主として廃棄される使用済み光ディスクにおけるデータ漏洩を防止するためにディスクを再生不能化する光ディスク用再生不能化方法、及びそれを適用した再生不能化装置に関する。
【０００２】
【従来の技術】
従来、ＣＤやＤＶＤ等に代表される光ディスクの制作時や製造時においては、大量の試験ディスクを必要とし、且つ成形時に発生する試し打ちディスクが必要となっている。例えばＣＤ−ＲＯＭを制作する場合、論理階層の検証やバグ検出等を複数の制作者が短時間に繰り返して検証することから、１タイトル当たり３００〜５００枚以上のＣＤ−Ｒメディアが用意され、検証後にはこれらの使用済みのディスクが全て廃棄される。
【０００３】
このような使用済み光ディスクは、通常少量であれば破壊（ディスクを割る等）して廃棄するが、大量であればこれらの廃棄を専用業者に委託して処理させている。ところが、大量の使用済み光ディスクの廃棄を専用業者に委託した場合、一部の悪質者によってディスクからデータが検出流用され、社会的な問題となっている。
【０００４】
そこで、こうした廃棄される使用済み光ディスクにおけるデータ漏洩を防止するためにディスクを再生不能化するための装置も開発されており、例えばディスクを折り曲げ破断させる折り曲げ破断装置も使用されている。但し、この折り曲げ破断装置の場合、かなり以前では汎用的に利用されていたが、光ディスクにおける再生可能なデータを記録したデータ領域の管理を担う管理領域（Ｔａｂｌｅｏｆ　Ｃｏｎｔｅｎｔｓ／通常ＴＯＣと略して呼ばれる）がそのまま残ることがあること、折り曲げ破断に際しての処理工程で発生する騒音が大きいこと、折り曲げ破断により結果的にディスクとしての容積が増加して保存場所の確保が難しくなること等の諸問題が発生するにより、最近では余り使用されていない状況にある。
【０００５】
最近では、使用済みディスクを再生不能化するためのその他の技術が研究開発されており、これに関連する技術としては、例えば実用新案登録番号第３０３４８４７号に開示された「廃棄するコンパクト・ディスクのデーターを読取を不能とする装置」、特開平９−２９３３４８号公報に開示された「用済み情報記憶媒体の破壊方法及び装置」、特開２０００−３０３０２号公報に開示された「光ディスク記録媒体」等が挙げられる。
【０００６】
【発明が解決しようとする課題】
一般に、使用済みディスクを再生不能化するための技術の基本事項として、制作課程で発生する各種の光ディスクは、殆ど安全性の確保が必要なデータを持っており、このデータ漏洩を起してはならないため、確実に使用済み光ディスクを再生できなくすること、この安全性確保のためとはいえども、廃棄業務にあっては大いなる工数を回避すべきであり、手軽に処理実行できること、再生不能化を施した後の大量の使用済み光ディスクを業者に引き取らせて廃棄処理してもらう（環境問題的な位置付けからもきちんとした処理業者に委託せざるを得ない事情がある）際、一定期間毎に引き取りに来る業者に再生不能化を施した使用済み光ディスクを引き取ってもらうまでの一時保管にしても膨大なスペースが必要になるため、できるだけ省スペース化を図ってバルクに近い状態で保管できること等が望まれているが、上述した従来の技術では何れの場合にも十分な成果が上げられないという問題がある。
【０００７】
即ち、特開平９−２９３３４８号公報に開示された「用済み情報記憶媒体の破壊方法及び装置」の場合、使用済みディスクの表面に自動的に十分に傷を施した上で放出する構成であるが、実際には装置の構成が複雑で高価になってしまうものであり、しかも長期間使用すると駆動ローラのブラシが摩耗して光ディスクにおける再生可能なデータを記録したデータ領域の管理を担う管理領域がそのまま残る可能性があり、こうしたときには十分に安全性を確保し切れなくなってしまうし、こうした事態を回避するためのメンテナンスを考慮すれば、容易にして確実に使用済み光ディスクを再生不能化することができないという欠点がある。
【０００８】
又、特開平９−２９３３４８号公報に開示された「用済み情報記憶媒体の破壊方法及び装置」の場合、本体に対して開閉される蓋部材の内側にポンチ等の突出した破壊工具を備え、本体側に位置決めして装着した使用済みディスクに破壊工具を貫通させて亀裂破壊させる構成であるが、実際には使用上、亀裂破壊時にまちまちに飛翔される塵屑の処理が煩雑で、この処理に手間がかかるため、扱い難いという欠点がある。
【０００９】
更に、特開２０００−３０３０２号公報に開示された「光ディスク記録媒体」の場合、中間層に剥離用フィルムを設けると共に、基板及び記録層側の所定箇所に剥離用フィルムに到達する剥離操作孔を配設して廃棄時に剥離操作孔に針金や細い棒を挿し込んで剥離用フィルムを突き上げることでディスク本体を分離するように予め記録媒体の基本構造を改造した構成であるが、この構造であれば外観上剥離操作孔が目立って好ましくない上、分離されたディスクを適確に区別して管理する必要もあるため、そのための管理が煩雑（大量なディスクが２倍分になり、誤って混合して管理してしまう危険性もある）で手間がかかってしまうという欠点がある。
【００１０】
本発明は、このような問題点を解決すべくなされたもので、その技術的課題は、使用済み光ディスクを簡易にして確実に再生不能化させてデータ漏洩を防止できると共に、省スペース化して保管し得る光ディスク用再生不能化方法、及びそれを適用した再生不能化装置を提供することにある。
【００１１】
【課題を解決するための手段】
本発明によれば、再生可能なデータを記録したデータ領域及び該データ領域の管理を担う管理領域を有する光ディスクの使用済みのものを再生不能化する光ディスク用再生不能化方法において、光ディスクの少なくとも管理領域を含む所定領域を穴開け加工する穴開け加工段階を有する光ディスク用再生不能化方法が得られる。
【００１２】
又、本発明によれば、上記光ディスク用再生不能化方法において、穴開け加工段階では、光ディスクにおける所定領域をくり抜いて破片を得るものであり、更に、破片を光ディスクの種別に応じて保管する保管段階を有する光ディスク用再生不能化方法が得られる。
【００１３】
更に、本発明によれば、再生可能なデータを記録したデータ領域及び該データ領域の管理を担う管理領域を有する光ディスクの使用済みのものを再生不能化する光ディスク用再生不能化方法において、光ディスクの少なくとも管理領域を含む所定領域を変形加工する変形加工段階を有する光ディスク用再生不能化方法が得られる。
【００１４】
一方、本発明によれば、再生可能なデータを記録したデータ領域及び該データ領域の管理を担う管理領域を有する光ディスクの使用済みのものを再生不能化可能な光ディスク用再生不能化装置において、光ディスクの少なくとも管理領域を含む所定領域を穴開け加工する穴開け加工手段を備えた光ディスク用再生不能化装置が得られる。
【００１５】
又、本発明によれば、上記光ディスク用再生不能化装置において、穴開け加工手段は、所定領域をくり抜いて光ディスクの種別に応じた保管用に供される破片を取得可能である光ディスク用再生不能化装置が得られる。
【００１６】
他方、本発明によれば、再生可能なデータを記録したデータ領域及び該データ領域の管理を担う管理領域を有する光ディスクの使用済みのものを再生不能化可能な光ディスク用再生不能化装置において、光ディスクの少なくとも管理領域を含む所定領域を変形加工する変形加工手段を備えた光ディスク用再生不能化装置が得られる。
【００１７】
【発明の実施の形態】
以下に本発明の実施の形態について、図面を参照して詳細に説明する。
【００１８】
最初に、本発明の光ディスク用再生不能化方法の技術的概要について簡単に説明する。本発明の光ディスク用再生不能化方法による一実施態様は、再生可能なデータを記録したデータ領域及びそのデータ領域の管理を担う管理領域を有する光ディスクの使用済みのものを再生不能化する際、光ディスクの少なくとも管理領域を含む所定領域を穴開け加工する穴開け加工段階を有するものである。この穴開け加工段階では、光ディスクにおける所定領域をくり抜いて破片を得るようにし、更に、破片を光ディスクの種別に応じて保管する保管段階を有するものとすれば好ましい。
【００１９】
こうした光ディスク用再生不能化方法を適用すれば、光ディスクにおける一部の所定領域に管理領域を含めるように穴開けして再生不能化を行い、ディスクドライブやプレーヤで再生を試みても管理領域を再生できなくすることにより、ディスクの種類や再生しようとするディスクの各種情報が判らず、ディスクドライブやプレーヤは再生不能と判断して光ディスクを吐き出してしまうため、結果として簡単にして確実に再生不能化を行うことができ、十分にデータ漏洩を防止することができる。又、仮に穴開けされた光ディスクを対象として穴開けにより得られた破片を埋め込んで再生を試みようとする場合には、適合する破片そのものを入手できなければ不能となるため、破片を別途に保管しておけば安全性が十分に確保されることになる。更に、再生不能化を施した後の大量の使用済み光ディスクを業者に引き取らせて廃棄処理してもらうまでの一時保管に際しても、光ディスクを折り曲げるような処理を施さないために各光ディスクをそのまま積み重ねることが可能となり、省スペース化が可能になる。勿論、外部業者への引き取りまでの一定期間の保管場所を確保することも容易になるし、従来の折り曲げ破壊装置と比べて処理時の騒音も少なく、手軽に且つ確実に光ディスクを再生不能化することが可能となり、しかも処理後のスペースも小さくて済む。
【００２０】
これに対し、本発明の光ディスク用再生不能化方法による他の実施態様は、先の一実施態様の場合と同様に再生可能なデータを記録したデータ領域及びそのデータ領域の管理を担う管理領域を有する光ディスクの使用済みのものを再生不能化する際、光ディスクの少なくとも管理領域を含む所定領域を変形加工する変形加工段階を有するものである。この変形加工段階では、光ディスクにおける所定領域を熱線による溶融，レーザー照射，或いは超音波ウエルダによる溶融等の手段で少なくとも管理領域のデータが完全に破壊されるように変形させるようにすれば良い。
【００２１】
ここでの光ディスク用再生不能化方法を適用すれば、光ディスクにおける一部の所定領域に管理領域を含めるように変形を施して再生不能化を行い、ディスクドライブやプレーヤで再生を試みても管理領域を再生できなくすることにより、先の一実施態様の場合と同様に簡単にして確実に再生不能化を行うことができ、しかも十分にデータ漏洩を防止することができる。又、この光ディスク用再生不能化方法の場合には破片の別途管理が不要であるため、一層保管が簡単になる他、再生不能化を施した後の大量の使用済み光ディスクを業者に引き取らせて廃棄処理してもらうまでの一時保管に際しても、光ディスクを折り曲げるような処理を施さないために各光ディスクをそのまま積み重ねることが可能となり、省スペース化が可能になる。勿論、ここでも外部業者への引き取りまでの一定期間の保管場所を確保することも容易になるし、従来の折り曲げ破壊装置と比べて処理時の騒音も少なく、手軽に且つ確実に光ディスクを再生不能化することが可能となり、しかも処理後のスペースも小さくて済む。
【００２２】
ところで、一実施態様の光ディスク用再生不能化方法を適用した光ディスク用再生不能化装置を構成する場合、再生可能なデータを記録したデータ領域及びそのデータ領域の管理を担う管理領域を有する光ディスクの使用済みのものを再生不能化可能なものとして、光ディスクの少なくとも管理領域を含む所定領域を穴開け加工する穴開け加工手段を備えた構成となる。この穴開け加工手段は、押し抜き式のパンチやドリルの他、熱線による溶融装置（電気的な手段により加熱したニクロム線等による突起物等をディスクに押し当てて該当する箇所を穴開け可能な装置），レーザー照射装置，或いは超音波ウエルダによる溶融装置等を適用できるが、ここでは余りディスクを変形させずに所定領域をくり抜いて光ディスクの種別に応じた保管用に供される破片を取得できることが好ましいので、特に押し抜き式パンチやドリル、或いは熱線による溶融装置やレーザー照射装置が好適である。
【００２３】
又、他の実施態様の光ディスク用再生不能化方法を適用した光ディスク用再生不能化装置を構成する場合、再生可能なデータを記録したデータ領域及びそのデータ領域の管理を担う管理領域を有する光ディスクの使用済みのものを再生不能化可能なものとして、光ディスクの少なくとも管理領域を含む所定領域を変形加工する変形加工手段を備えた構成となる。この変形加工手段は、パンチ，ドリル，熱線による溶融装置，レーザー照射装置，或いは超音波ウエルダによる溶融装置等を適用できるが、ここでは所定領域をくり抜かずに若干変形（変質を含む）させることが好ましいので、特に熱線による溶融装置，レーザー照射装置，超音波ウエルダによる溶融装置が好適である。
【００２４】
図１は、本発明の光ディスク用再生不能化方法（先に説明した一実施態様に係るもの）を適用した光ディスク用再生不能化装置により再生不能化を施した第１の実施の形態に係る使用済み光ディスク１０の外観を示した平面図である。
【００２５】
ここでは、使用済み光ディスク１０の少なくとも管理領域Ｅを含む円形の所定領域Ｅ１を光ディスク用再生不能化装置に備えられる穴開け加工手段としての押し抜き式パンチやドリルで穴開け加工し、所定領域Ｅ１をくり抜いて円形の破片を得るようにして円形の孔を形成している。
【００２６】
図２は、本発明の光ディスク用再生不能化方法（先に説明した一実施態様に係るもの）を適用した光ディスク用再生不能化装置により再生不能化を施した第２の実施の形態に係る使用済み光ディスク１０の外観を示した平面図である。
【００２７】
ここでは、使用済み光ディスク１０の少なくとも管理領域Ｅを含む略円弧帯形の所定領域Ｅ２を光ディスク用再生不能化装置に備えられる穴開け加工手段としての押し抜き式パンチやドリルで穴開け加工し、所定領域Ｅ２をくり抜いて略円弧帯形の破片を得るようにして略円弧帯形の孔を形成している。
【００２８】
図２に示す光ディスク１０における略円弧帯形の所定領域Ｅ２やそこからくり抜かれた略円弧帯形の破片は、図１に示す光ディスク１０における円形の所定領域Ｅ１やそこからくり抜かれた円形の破片よりもより長い領域に及ぶ形状となっているが、これらを穴開け加工する場合、押し抜き式パンチを用いるときには１枚から数枚纏めたものを押し切るようにすれば良く、ドリルを用いるときには数枚から数百枚分程度を纏めたものを切り抜くようにすれば良い。何れにしても、得られた円形又は略円弧帯形の破片を光ディスク１０本体とは別に取り扱って保管（光ディスク１０の種別に応じて保管）することで一層安全性を高めることが可能になる。
【００２９】
このような再生不能化を施した使用済み光ディスク１０は、再生用のディスクドライブやプレーヤによりディスクの種類や再生しようとするディスクの各種情報を確認再生できなくなるため、確実にデータ漏洩を防止することができる。
【００３０】
図３は、本発明の光ディスク用再生不能化方法（先に説明した一実施態様に係るもの）を適用した光ディスク用再生不能化装置により再生不能化を施した第３の実施の形態に係る光ディスクの外観を示した平面図である。ここでは、光ディスク１０の少なくとも管理領域Ｅとデータ領域の一部とを含む略長円形の所定領域Ｅ３を光ディスク用再生不能化装置に備えられる穴開け加工手段としての押し抜き式パンチやドリルで穴開け加工し、所定領域Ｅ３をくり抜いて略長円形の破片を得るようにして略長円形の孔を形成している。ここでも得られた略長円形の破片を光ディスク１０本体とは別に取り扱って保管（光ディスク１０の種別に応じて保管）することで一層安全性を高めることが可能になる。
【００３１】
尚、ここで所定領域Ｅ３として、管理領域Ｅ以外にデータ領域の一部を含ませるようにした理由は、ＣＤ−Ｒのマルチセッション記録やＤＶＤリライタブル等のメディアの場合、ディスク内周部の管理領域Ｅ以外にも管理部分が存在し得るからであり、こうした高度な技術を有するハッキング等に対してより強力に再生不能化を図るための形態となっている。因みに、ここでの略長円形の所定領域Ｅ３をくり抜く場合、押し抜き式パンチを用いると強い力が必要になるため、ドリルを用いた方が好ましい。
【００３２】
図４は、本発明の光ディスク用再生不能化方法（先に説明した一実施態様に係るもの）を適用した光ディスク用再生不能化装置により再生不能化を施した第４の実施の形態に係る光ディスクの外観を示した平面図である。ここでは、光ディスク１０の少なくともデータ領域の一部を含む略長円形の所定領域Ｅ４と管理領域Ｅを含む円形の所定領域Ｅ５とによる２箇所を光ディスク用再生不能化装置に備えられる穴開け加工手段としての押し抜き式パンチやドリルで穴開け加工し、各所定領域Ｅ４，Ｅ５をくり抜いて略長円形の破片及び円形の破片を得るようにして略長円形の孔及び円形の孔を形成している。ここでも得られた略長円形や円形の破片を光ディスク１０本体とはそれぞれ別に取り扱って保管（光ディスク１０の種別に応じて保管）することで一層安全性を高めることが可能になる。
【００３３】
尚、ここで２つの所定領域Ｅ４，Ｅ５を持たせた理由も、先の第３の実施の形態の場合と同様であるが、ここは先の第３の実施の形態の場合のようにデータ領域の一部を含む略長円形の所定領域Ｅ４が略長円形の所定領域Ｅ３よりもずっと寸法的に小さいので押し抜き式パンチを用いることが有効となっている。
【００３４】
ところで、上述した図１乃至図４に示した各実施の形態に係る光ディスク１０における各所定領域Ｅ１〜Ｅ５は、各実施の形態通りに単独で実施する他、適宜組み合わせて実施することも可能である。又、上述した各実施の形態に係る使用済み光ディスク１０における各所定領域Ｅ１〜Ｅ５は、穴開け加工手段により穴開け加工してくり抜き、光ディスク１０の種別に応じた保管用に供される破片を取得するものとしたが、これに代えて各所定領域Ｅ１〜Ｅ５を熱線による溶融装置，レーザー照射装置，超音波ウエルダによる溶融装置等の変形加工手段で再生不能化するように変形加工するようにしても良い。この場合には、破片が発生しないので、一層使用済み光ディスク１０の管理が簡単になる。
【００３５】
図５は、上述した図１乃至図４に示した各実施の形態に係る使用済み光ディスク１０を積み重ね保管する場合の様子を従来の折り曲げ破壊装置で折り曲げ破壊処理された使用済み光ディスク１０を積み重ね保管する場合と対比して示した外観側面図であり、同図（ａ）は従来の折り曲げ破壊処理された使用済み光ディスク１０に関するもの，同図（ｂ）は各実施の形態に係る使用済み光ディスク１０に関するものである。
【００３６】
図５（ａ）を参照すれば、従来の折り曲げ破壊処理により再生不能化した使用済み光ディスク１０は積み重ね保管すると、積み重ね方向に十分なスペースを要すると共に、折り曲げにより無駄なスペースを要するようになっている。又、従来の折り曲げ破壊処理により再生不能化した使用済み光ディスク１０は、しばしば折り曲げ方がディスクによって異なることがあり、場合によっては管理領域Ｅへのダメージが少なく、再生が可能になることもあって十分に安全性が確保されないこともある上、積み重ねて保管するとかさばる傾向にある。
【００３７】
これに対し、図５（ｂ）を参照すれば、各実施の形態に係る使用済み光ディスク１０を積み重ね保管すると、折り曲げが無く、変形も少ないので積み重ね方向に無駄なスペースを要することなくコンパクトになることが判る。
【００３８】
図６は、本発明の光ディスク用再生不能化装置の一例である穴開け装置２０の外観構成を示した側面図である。この穴開け装置（パンチ）２０は、ディスクサイズに合わせて使用済み光ディスク１０を水平方向Ｈに任意に位置決め設定した上で装着可能な下部台座２１に対し、鉛直方向上下に可動とされる打ち抜き刃２４を固定したハンドル２３を鉛直方向上下に可動（回転可能）なように装着した上部台座２２を中間台座を介して取り付けて構成され、ハンドル２３を矢印の下方向に操作することにより打ち抜き刃２４がこれに伴って矢印の下方向に移動し、使用済み光ディスク１０の管理領域Ｅを含む所定領域を穴開け加工して打ち抜くようになっている。ここで、打ち抜かれた破片は、打ち抜き刃２４の下側で回収されるが、穴開け加工後の使用済み光ディスク１０本体とここで得られた破片とを別々に保管（又は処分）することで、より高い安全性を確保してデータ漏洩を防止することができる。
【００３９】
尚、上述した使用済み光ディスク１０は、何れも直径１２ｃｍの標準的なタイプのものとするが、この標準タイプに留まることなく、その他のタイプである直径が８ｃｍディスク，３．５インチディスク，１３ｃｍディスク等を対象にしても、上述した要領で同様な再生不能化を付与することが可能である。
【００４０】
【発明の効果】
以上に説明したように、本発明によれば、使用済み光ディスクの少なくとも管理領域を含む所定領域を穴開け加工するか、或いは変形加工するようにして再生不能化し、且つ穴開け加工したときには所定領域をくり抜いた破片を光ディスクの種別に応じて保管するようにしているので、大型の設備を使用することなく使用済み光ディスクを簡易にして確実に再生不能化させてデータ漏洩を十分に防止できると共に、折り曲げるような処理を施さないために騒音も発生せずに廃棄のための業者へ引き渡すまでの一時保管に際しても省スペース化して管理できるようになる。
【図面の簡単な説明】
【図１】本発明の光ディスク用再生不能化方法を適用した光ディスク用再生不能化装置により再生不能化を施した第１の実施の形態に係る使用済み光ディスクの外観を示した平面図である。
【図２】本発明の光ディスク用再生不能化方法を適用した光ディスク用再生不能化装置により再生不能化を施した第２の実施の形態に係る使用済み光ディスクの外観を示した平面図である。
【図３】本発明の光ディスク用再生不能化方法を適用した光ディスク用再生不能化装置により再生不能化を施した第３の実施の形態に係る使用済み光ディスクの外観を示した平面図である。
【図４】本発明の光ディスク用再生不能化方法を適用した光ディスク用再生不能化装置により再生不能化を施した第４の実施の形態に係る使用済み光ディスクの外観を示した平面図である。
【図５】図１乃至図４に示した各実施の形態に係る使用済み光ディスクを積み重ね保管する場合の様子を従来の折り曲げ破壊装置で折り曲げ破壊処理された使用済み光ディスクを積み重ね保管する場合と対比して示した外観側面図であり、（ａ）は従来の折り曲げ破壊処理された使用済み光ディスクに関するもの，（ｂ）は各実施の形態に係る使用済み光ディスクに関するものである。
【図６】本発明の光ディスク用再生不能化装置の一例である穴開け装置の外観構成を示した側面図である。
【符号の説明】
１０　光ディスク
２０　穴開け装置（パンチ）
２１　下部台座
２２　上部台座
２３　ハンドル
２４　打ち抜き刃
Ｅ　管理領域
Ｅ１〜Ｅ５　所定領域
【図１】
2004022015.tif 000003
【図２】
2004022015.tif 000004
【図３】
2004022015.tif 000005
【図４】
2004022015.tif 000006
【図５】
2004022015.tif 000007
【図６】
2004022015.tif 000008
【手続補正書】
【提出日】平成15年7月16日(2003.7.16)
【手続補正１】
【補正対象書類名】明細書
【補正対象項目名】特許請求の範囲
【補正方法】変更
【補正の内容】
【特許請求の範囲】
【請求項１】
再生可能なデータを記録したデータ領域及び該データ領域の管理を担う管理領域を有する光ディスクの使用済みのものを再生不能化する光ディスク用再生不能化方法において、前記光ディスクの前記管理領域のデータを再生不能化する再生不能化段階を有することを特徴とする光ディスク用再生不能化方法。
【請求項２】
請求項１記載の光ディスク用再生不能化方法において、前記再生不能化段階は、前記光ディスクの少なくとも前記管理領域を含む所定領域のデータを破壊されるように変形させる変形段階を含むことを特徴とする光ディスク用再生不能化方法。
【請求項３】
請求項２記載の光ディスク用再生不能化方法において、前記変形段階は、前記光ディスクの少なくとも前記管理領域を含む所定領域を変形加工する変形加工段階を含むことを特徴とする光ディスク用再生不能化方法。
【請求項４】
請求項３記載の光ディスク用再生不能化方法において、前記変形加工段階は、前記光ディスクの少なくとも前記管理領域を含む所定領域を穴開け加工する穴開け加工段階を含むことを特徴とする光ディスク用再生不能化方法。
【請求項５】
請求項４記載の光ディスク用再生不能化方法において、前記穴開け加工段階は、前記光ディスクにおける前記所定領域をくり抜いて破片を得るものであり、更に、前記破片を前記光ディスクの種別に応じて保管する保管段階を含むことを特徴とする光ディスク用再生不能化方法。
【請求項６】
再生可能なデータを記録したデータ領域及び該データ領域の管理を担う管理領域を有する光ディスクの使用済みのものを再生不能化可能な光ディスク用再生不能化装置において、前記光ディスクの前記管理領域のデータを再生不能化する再生不能化手段を備えたことを特徴とする光ディスク用再生不能化装置。
【請求項７】
請求項６記載の光ディスク用再生不能化装置において、前記再生不能化手段は、前記光ディスクの少なくとも前記管理領域を含む所定領域のデータを破壊されるように変形させる変形手段を備えたことを特徴とする光ディスク用再生不能化装置。
【請求項８】
請求項７記載の光ディスク用再生不能化装置において、前記変形手段は、前記光ディスクの少なくとも前記管理領域を含む所定領域を変形加工する変形加工手段を備えたことを特徴とする光ディスク用再生不能化装置。
【請求項９】
請求項８記載の光ディスク用再生不能化装置において、前記変形加工手段は、前記光ディスクの少なくとも前記管理領域を含む所定領域を穴開け加工する穴開け加工手段を備えたことを特徴とする光ディスク用再生不能化装置。
【請求項１０】
請求項９記載の光ディスク用再生不能化装置において、前記穴開け加工手段は、前記所定領域をくり抜いて前記光ディスクの種別に応じた保管用に供される破片を取得可能であることを特徴とする光ディスク用再生不能化装置。
【手続補正２】
【補正対象書類名】明細書
【補正対象項目名】００１１
【補正方法】変更
【補正の内容】
【００１１】
【課題を解決するための手段】
本発明によれば、再生可能なデータを記録したデータ領域及び該データ領域の管理を担う管理領域を有する光ディスクの使用済みのものを再生不能化する光ディスク用再生不能化方法において、光ディスクの管理領域のデータを再生不能化する再生不能化段階を有する光ディスク用再生不能化方法が得られる。この光ディスク用再生不能化方法において、再生不能化段階は、光ディスクの少なくとも管理領域を含む所定領域のデータを破壊されるように変形させる変形段階を含むこと、更に、変形段階は、光ディスクの少なくとも管理領域を含む所定領域を変形加工する変形加工段階を含むことはそれぞれ好ましい。
【手続補正３】
【補正対象書類名】明細書
【補正対象項目名】００１２
【補正方法】変更
【補正の内容】
【００１２】
又、本発明によれば、上記光ディスク用再生不能化方法において、変形加工段階は、光ディスクの少なくとも管理領域を含む所定領域を穴開け加工する穴開け加工段階を含む光ディスク用再生不能化方法が得られる。
【手続補正４】
【補正対象書類名】明細書
【補正対象項目名】００１３
【補正方法】変更
【補正の内容】
【００１３】
加えて、本発明によれば、上記光ディスク用再生不能化方法において、穴開け加工段階は、光ディスクにおける所定領域をくり抜いて破片を得るものであり、更に、破片を光ディスクの種別に応じて保管する保管段階を含む光ディスク用再生不能化方法が得られる。
【手続補正５】
【補正対象書類名】明細書
【補正対象項目名】００１４
【補正方法】変更
【補正の内容】
【００１４】
一方、本発明によれば、再生可能なデータを記録したデータ領域及び該データ領域の管理を担う管理領域を有する光ディスクの使用済みのものを再生不能化可能な光ディスク用再生不能化装置において、光ディスクの管理領域のデータを再生不能化する再生不能化手段を備えた光ディスク用再生不能化装置が得られる。この光ディスク用再生不能化装置において、再生不能化手段は、光ディスクの少なくとも管理領域を含む所定領域のデータを破壊されるように変形させる変形手段を備えたこと、更に、変形手段は、光ディスクの少なくとも管理領域を含む所定領域を変形加工する変形加工手段を備えたことはそれぞれ好ましい。
【手続補正６】
【補正対象書類名】明細書
【補正対象項目名】００１５
【補正方法】変更
【補正の内容】
【００１５】
又、本発明によれば、上記光ディスク用再生不能化装置において、変形加工手段は、光ディスクの少なくとも管理領域を含む所定領域を穴開け加工する穴開け加工手段を備えた光ディスク用再生不能化装置が得られる。
【手続補正７】
【補正対象書類名】明細書
【補正対象項目名】００１６
【補正方法】変更
【補正の内容】
【００１６】
加えて、本発明によれば、穴開け加工手段は、所定領域をくり抜いて光ディスクの種別に応じた保管用に供される破片を取得可能である光ディスク用再生不能化装置が得られる。
【手続補正８】
【補正対象書類名】明細書
【補正対象項目名】００１８
【補正方法】変更
【補正の内容】
【００１８】
最初に、本発明の光ディスク用再生不能化方法の技術的概要について簡単に説明する。本発明の光ディスク用再生不能化方法は、基本的に再生可能なデータを記録したデータ領域及びそのデータ領域の管理を担う管理領域を有する光ディスクの使用済みのものを再生不能化する際、光ディスクの管理領域のデータを再生不能化する再生不能化段階を有するものである。この再生不能化段階は、光ディスクの少なくとも管理領域を含む所定領域のデータを破壊されるように変形させる変形段階を含むものであれば良く、更に変形段階では光ディスクの少なくとも管理領域を含む所定領域を変形加工する変形加工段階を含むものとすることが好ましい。この変形加工段階による一実施態様は、光ディスクの少なくとも管理領域を含む所定領域を穴開け加工する穴開け加工段階を有するものである。この穴開け加工段階では、光ディスクにおける所定領域をくり抜いて破片を得るようにし、更に、破片を光ディスクの種別に応じて保管する保管段階を有するものとすれば好ましい。


【手続補正９】
【補正対象書類名】明細書
【補正対象項目名】００２０
【補正方法】変更
【補正の内容】
【００２０】
これに対し、本発明の光ディスク用再生不能化方法による他の実施態様は、先の一実施態様の場合のような変形加工段階としての穴開け加工段階を実行するのでなく、変形段階として、光ディスクにおける所定領域を熱線による溶融，レーザー照射，或いは超音波ウエルダによる溶融等の手段で少なくとも管理領域のデータが完全に破壊されるように変形させるようにすれば良い。


【手続補正１０】
【補正対象書類名】明細書
【補正対象項目名】００２２
【補正方法】変更
【補正の内容】
【００２２】
ところで、本発明の光ディスク用再生不能化方法を適用した光ディスク用再生不能化装置では、再生可能なデータを記録したデータ領域及びそのデータ領域の管理を担う管理領域を有する光ディスクの使用済みのものを再生不能化可能な基本構成において、光ディスクの管理領域のデータを再生不能化する再生不能化手段を備えるものである。この再生不能化手段は、光ディスクの少なくとも管理領域を含む所定領域のデータを破壊されるように変形させる変形手段を備えたものであれば良く、更に、変形手段は光ディスクの少なくとも管理領域を含む所定領域を変形加工する変形加工手段を備えたものとすることが好ましい。この変形加工手段の一実施態様では、光ディスクの少なくとも管理領域を含む所定領域を穴開け加工する穴開け加工手段を備えた構成となる。この穴開け加工手段は、押し抜き式のパンチやドリルの他、熱線による溶融装置（電気的な手段により加熱したニクロム線等による突起物等をディスクに押し当てて該当する箇所を穴開け可能な装置），レーザー照射装置，或いは超音波ウエルダによる溶融装置等を適用できるが、ここでは余りディスクを変形させずに所定領域をくり抜いて光ディスクの種別に応じた保管用に供される破片を取得できることが好ましいので、特に押し抜き式パンチやドリル、或いは熱線による溶融装置やレーザー照射装置が好適である。


【手続補正１１】
【補正対象書類名】明細書
【補正対象項目名】００２３
【補正方法】変更
【補正の内容】
【００２３】
又、他の実施態様の光ディスク用再生不能化方法を適用した光ディスク用再生不能化装置を構成する場合、先の一実施態様の場合のような変形加工手段としての穴開け加工手段を備えるのでなく、変形手段として、パンチ，ドリル，熱線による溶融装置，レーザー照射装置，或いは超音波ウエルダによる溶融装置等を備えれば良いが、ここでは所定領域をくり抜かずに若干変形（変質を含む）させることが好ましいので、特に熱線による溶融装置，レーザー照射装置，超音波ウエルダによる溶融装置が好適である。


【手続補正１２】
【補正対象書類名】明細書
【補正対象項目名】００４０
【補正方法】変更
【補正の内容】
【００４０】
【発明の効果】
以上に説明したように、本発明によれば、使用済み光ディスクの管理領域のデータを再生不能化することを基本とし、少なくとも管理領域を含む所定領域を変形させるか、或いは変形加工させ、更には変形加工としての穴開け加工を行うようにして再生不能化し、且つ穴開け加工したときには所定領域をくり抜いた破片を光ディスクの種別に応じて保管するようにしているので、大型の設備を使用することなく使用済み光ディスクを簡易にして確実に再生不能化させてデータ漏洩を十分に防止できると共に、折り曲げるような処理を施さないために騒音も発生せずに廃棄のための業者へ引き渡すまでの一時保管に際しても省スペース化して管理できるようになる。